(57)【要約】【課題】蓄電装置製造設備が設置されている場合に除湿機の消費電力を抑制できる空気循環装置を提供すること。【解決手段】除湿機４０により除湿された空気で満たされたドライルーム１０の内部に設置され、蓄電装置３０の製造において電解液Ｏｓ（有機溶剤）を用いる工程を実施する蓄電装置製造設備２０であって、電解液Ｏｓを用いる空間Ｓを有する収容部２６と、収容部２６の内部の空気を循環させる循環経路２１と、循環経路２１上に設けられ、収容部２６の内部の空気を循環させる動力となるファン２２と、循環経路２１上に設けられ、異物及び電解液Ｏｓを吸着する吸着部２３と、を備え、収容部２６には、ドライルーム１０の内部において収容部２６の内部と外部を連通し、除湿機４０により除湿された空気が供給される供給部２５が設けられている。【選択図】図１
2020064791.tif 000002
【特許請求の範囲】
【請求項１】
除湿機により除湿された空気で満たされた部屋の内部に設置され、蓄電装置の製造において有機溶剤を用いる工程を実施する蓄電装置製造設備であって、
前記有機溶剤を用いる空間を有する収容部と、
前記収容部の内部の空気を循環させる循環経路と、
前記循環経路上に設けられ、前記収容部の内部の空気を循環させる動力となるファンと、
前記循環経路上に設けられ、異物及び前記有機溶剤を吸着する吸着部と、を備え、
前記収容部には、前記部屋の内部において前記収容部の内部と外部とを連通し、前記除湿機により除湿された空気が供給される供給部が設けられていることを特徴とする蓄電装置製造設備。
【請求項２】
前記除湿機は、前記供給部を介して前記収容部に接続されていることを特徴とする請求項１に記載の蓄電装置製造設備。
【請求項３】
部屋と、
前記部屋の外部に設けられ、前記部屋の内部を除湿した空気で満たす除湿機と、
前記部屋の内部に設置され、蓄電装置の製造において有機溶剤を用いる工程を実施する蓄電装置製造設備と、を備える空気循環設備であって、
前記蓄電装置製造設備は、前記有機溶剤を用いる空間を有する収容部と、前記収容部の内部の空気を循環させる循環経路と、前記循環経路上に設けられ、前記収容部の内部の空気を循環させる動力となるファンと、前記循環経路上に設けられ、異物及び前記有機溶剤を吸着する吸着部と、前記収容部に設けられ、前記部屋の内部において前記収容部の内部と外部とを連通し、前記除湿機により除湿された空気が供給される供給部が設けられていることを特徴とする空気循環設備。
【請求項４】
部屋と、
前記部屋の内部に設置され、蓄電装置の製造において有機溶剤を用いる工程を実施するとともに前記有機溶剤を用いる空間を有する収容部を備えた蓄電装置製造設備と、
前記部屋の内部に設けられ、前記収容部の内部を除湿した空気で満たす除湿機と、を備える空気循環設備であって、
前記蓄電装置製造設備は、前記収容部の内部の空気を循環させる循環経路と、前記循環経路上に設けられ、前記収容部の内部の空気を循環させる動力となるファンと、前記循環経路上に設けられ、異物及び前記有機溶剤を吸着する吸着部と、前記収容部に設けられ、前記除湿機と前記収容部とを接続し、前記除湿機により除湿された空気が供給される供給部が設けられていることを特徴とする空気循環設備。
【発明の詳細な説明】
【技術分野】
【０００１】
本発明は、蓄電装置製造設備、及び空気循環設備に関する。
【背景技術】
【０００２】
従来、建屋内に配置された複数のクリーンルームに建屋の外部の外気を供給し、供給された空気を建屋の外部に排出するクリーンルーム用空調システムが知られている（特許文献１参照）。
【先行技術文献】
【特許文献】
【０００３】
【特許文献１】特開２０１７−４８９４１号公報
【発明の概要】
【発明が解決しようとする課題】
【０００４】
クリーンルーム内に例えば蓄電装置を製造する蓄電装置製造設備が設置される場合を考える。蓄電装置製造設備では、有機溶剤を使用することがある。有機溶剤に水分が含まれてしまうと蓄電装置の性能が低下してしまうことが考えられるため、蓄電装置製造設備に供給される空気は、十分に除湿されている必要がある。そのため、クリーンルーム内に蓄電装置製造設備を設置する場合には、除湿機を設置することでクリーンルームに導入される外気を除湿する必要がある。
【０００５】
ところで、特許文献１に記載されるシステムに蓄電装置製造設備、及び除湿機を設置したとしても、除湿した外気をクリーンルームの外部に排出してしまう。そのため、除湿機は常にクリーンルーム内に供給する外気を除湿しなければならないため、除湿機の消費電力が多くなる。
【０００６】
本発明は、このような従来の技術に存在する問題点に着目してなされたものであり、その目的は、蓄電装置製造設備が設置されている場合に除湿機の消費電力を抑制できる空気循環装置を提供することにある。
【課題を解決するための手段】
【０００７】
上記課題を解決する蓄電装置製造設備は、除湿機により除湿された空気で満たされた部屋の内部に設置され、蓄電装置の製造において有機溶剤を用いる工程を実施する蓄電装置製造設備であって、前記有機溶剤を用いる空間を有する収容部と、前記収容部の内部の空気を循環させる循環経路と、前記循環経路上に設けられ、前記収容部の内部の空気を循環させる動力となるファンと、前記循環経路上に設けられ、異物及び前記有機溶剤を吸着する吸着部と、を備え、前記収容部には、前記部屋の内部において前記収容部の内部と外部とを連通し、前記除湿機により除湿された空気が供給される供給部が設けられている。
【０００８】
これによれば、除湿機により除湿された空気が供給部から蓄電装置製造設備の収容部の内部に供給される。蓄電装置製造設備の収容部の内部では、ファンにより循環経路を除湿された空気が循環している。そのため、除湿機により除湿された空気が部屋の外部に排出され、部屋の外部の空気を新たに除湿機で除湿する場合と比較して除湿機の消費電力を抑制できる。
【０００９】
また、部屋の内部で有機溶剤を用いる工程を実施しているときに埃や塵等の異物が混入すると蓄電装置の性能が低下する。さらに、部屋の内部に蓄電装置製造設備を設置する場合、蓄電装置製造設備を使用して作業する作業者の環境衛生上の安全性を保つ必要がある。
【００１０】
その点、上記の蓄電装置製造設備は、循環経路上に吸着部を備えている。吸着部により異物及び有機溶剤を吸着する。そのため、蓄電装置製造設備の内部への異物の混入を抑制でき、且つ作業者の環境衛生上の安全性を保持することができる。
【００１１】
さらに、除湿された空気の循環、異物混入の抑制、及び環境衛生上の安全性の観点から部屋全体に対して循環経路、ファン、及び吸着部を設ける場合も考えられるが、部屋全体に対して循環経路、ファン、及び吸着部を設置すると設備投資費用が高くなってしまう。
【００１２】
その点、上記の蓄電装置製造設備は、蓄電装置製造設備に対して循環経路、ファン、及び吸着部を設けている。そのため、例えば、部屋の内部に複数の蓄電装置製造設備が配置される場合には、有機溶剤を使用する工程を実施する蓄電装置製造設備にのみ循環経路、ファン、及び吸着部を構成すればよい。したがって、設備投資費用を抑えることができる。
【００１３】
上記の蓄電装置製造設備において、前記除湿機は、前記供給部を介して前記収容部に接続されているとよい。
例えば、除湿機を部屋に接続する場合、収容部の内部を除湿された空気で満たすためには、部屋の内部を十分に除湿された状態にする必要がある。しかし、部屋の内部が十分に除湿された状態に達するまでには時間がかかってしまい、ひいては収容部の内部が十分に除湿されるまでには時間かかってしまう。
【００１４】
その点、これによれば、除湿機が供給部を介して収容部に接続しているため、除湿機により直接的に収容部の内部を除湿することができる。よって、蓄電装置製造設備の収容部内部における除湿をより効率的に実施できる。
【００１５】
上記課題を解決する空気循環設備は、部屋と、前記部屋の外部に設けられ、前記部屋の内部を除湿した空気で満たす除湿機と、前記部屋の内部に設置され、蓄電装置の製造において有機溶剤を用いる工程を実施する蓄電装置製造設備と、を備える空気循環設備であって、前記蓄電装置製造設備は、前記有機溶剤を用いる空間を有する収容部と、前記収容部の内部の空気を循環させる循環経路と、前記循環経路上に設けられ、前記収容部の内部の空気を循環させる動力となるファンと、前記循環経路上に設けられ、異物及び前記有機溶剤を吸着する吸着部と、前記収容部に設けられ、前記部屋の内部において前記収容部の内部と外部とを連通し、前記除湿機により除湿された空気が供給される供給部が設けられている。
【００１６】
これによれば、除湿機により除湿された空気が供給部から蓄電装置製造設備の収容部の内部に供給される。蓄電装置製造設備の収容部の内部では、ファンにより循環経路を除湿された空気が循環している。そのため、除湿機により除湿された空気が部屋の外部に排出され、部屋の外部の空気を新たに除湿機で除湿する場合と比較して除湿機の消費電力を抑制できる。
【００１７】
また、例えば部屋の内部に複数の蓄電装置製造設備を設置する場合を考える。この場合、全ての蓄電装置製造設備に対して除湿機を接続させると、除湿機の管理に手間がかかってしまう。
【００１８】
その点、これによれば、部屋の外部に除湿機を設け、部屋自体を除湿することにより除湿機の管理の手間を少なくできる。また、除湿機が部屋の外部に設けられているため、部屋の内部の蓄電装置製造設備の配置の自由度を向上させることができる。
【００１９】
上記課題を解決する空気循環設備は、部屋と、前記部屋の内部に設置され、蓄電装置の製造において有機溶剤を用いる工程を実施するとともに前記有機溶剤を用いる空間を有する収容部を備えた蓄電装置製造設備と、前記部屋の内部に設けられ、前記収容部の内部を除湿した空気で満たす除湿機と、を備える空気循環設備であって、前記蓄電装置製造設備は、前記収容部の内部の空気を循環させる循環経路と、前記循環経路上に設けられ、前記収容部の内部の空気を循環させる動力となるファンと、前記循環経路上に設けられ、異物及び前記有機溶剤を吸着する吸着部と、前記収容部に設けられ、前記除湿機と前記収容部とを接続し、前記除湿機により除湿された空気が供給される供給部が設けられている。
【００２０】
これによれば、除湿機により除湿された空気が供給部から蓄電装置製造設備の収容部の内部に供給される。蓄電装置製造設備の収容部の内部では、ファンにより循環経路を除湿された空気が循環している。そのため、除湿機により除湿された空気が部屋の外部に排出され、部屋の外部の空気を新たに除湿機で除湿する場合と比較して除湿機の消費電力を抑制できる。
【００２１】
また、除湿機が供給部を介して収容部に接続しているため、除湿機により直接的に収容部の内部を除湿することができる。よって、収容部の内部における除湿をより効率的に実施できる。
【発明の効果】
【００２２】
この発明によれば、蓄電装置製造設備を設置する場合に除湿機の消費電力を抑制できる。
【図面の簡単な説明】
【００２３】
【図１】蓄電装置製造設備、及び空気循環設備の概略図。
【図２】変形例における蓄電装置製造設備、及び空気循環設備の概略図。
【発明を実施するための形態】
【００２４】
以下、蓄電装置製造設備、及び空気循環設備を具体化した実施形態を図１にしたがって説明する。本実施形態の空気循環設備では、除湿機により除湿された空気で満たされた部屋の内部に蓄電装置製造設備が設置されている。
【００２５】
図１に示すように、空気循環設備１は、部屋としてのドライルーム１０と、蓄電装置製造設備２０と、除湿機４０と、を備えている。
除湿機４０は、ドライルーム１０の外部に設けられている。ドライルーム１０と除湿機４０とは、供給通路５１と送出通路５２とにより接続されている。供給通路５１は、除湿機４０により除湿された空気をドライルーム１０の内部に供給するために用いられている。送出通路５２は、ドライルーム１０の内部の空気を除湿機４０に送出するために用いられている。除湿機４０が常に稼働することでドライルーム１０の内部は除湿された空気で満たされている。除湿機４０には、外気を取り込む吸気口４１が形成されており、送出通路５２により除湿機４０に送出される空気及び吸気口４１から吸気される空気を除湿している。ドライルーム１０には、換気口１１が設けられている。換気口１１からは、ドライルーム１０の内部の空気の一部が外部に送出される。ドライルーム１０には、露点計が設けられており、露点計の数値をモニタリングすることによりドライルーム１０の内部の除湿具合が把握されている。なお、換気口１１は、ドライルーム１０の内部を換気するために設けられているが、ドライルーム１０の内部の空気を全て換気する機能はない。すなわち、換気口１１の穴径は、ドライルーム１０の内部の空気を徐々に換気できるように設定されている。
【００２６】
本実施形態の蓄電装置製造設備２０は、ドライルーム１０の内部に設置されている。蓄電装置製造設備２０は、箱状の設備である。蓄電装置製造設備２０は、蓄電装置３０の製造において有機溶剤を用いる工程を実施する設備である。蓄電装置３０は、正極と負極とが積層されてなる電極組立体を、有底角筒状のケースに収容することにより構成されている。蓄電装置製造設備２０により実施される工程は、例えば、注液工程、塗工工程、及びガス抜き工程等である。注液工程は、蓄電装置３０に電解液Ｏｓを注液する工程である。塗工工程は、蓄電装置３０を構成する電極組立体の電極を構成する長尺状の金属箔に有機溶剤を含むスラリー状の活物質合剤を塗工する工程である。塗工工程では、電極が露出した状態になっている。ガス抜き工程は、注液工程後に蓄電装置３０を充放電させることにより蓄電装置３０を動作させた後、注液栓を外して蓄電装置３０の内部に溜まったガスを排出させる工程である。本実施形態の蓄電装置製造設備２０は、その内部で蓄電装置３０に有機溶剤で構成される電解液Ｏｓを注液する注液工程で使用される設備である。ケースには、電解液Ｏｓを注液するための注液孔が形成されており、当該注液孔は、蓄電装置３０に電解液Ｏｓを注入した後に注液栓によって塞がれる。蓄電装置製造設備２０では、蓄電装置３０に電解液Ｏｓを注液し、注液後に注液栓により注液孔を塞ぐまでの注液工程が実施される。
【００２７】
蓄電装置製造設備２０は、電解液Ｏｓを用いる空間Ｓを有する収容部２６を有している。収容部２６の空間Ｓには、蓄電装置３０が配置されている。蓄電装置製造設備２０の収容部２６には、供給部２５が形成されている。供給部２５は、ドライルーム１０の内部において収容部２６の内部と外部とを連通している。供給部２５には、除湿機４０によりドライルーム１０の内部に満たされた除湿された空気が供給されることにより蓄電装置製造設備２０の収容部２６の内部に除湿された空気が満たされる。なお、供給部２５の形状としては、スリット状であってもよいし、丸孔状であってもよく、ドライルーム１０の内部と収容部２６の内部とを連通できていればどのような形状でもよい。
【００２８】
次に、ドライルーム１０から蓄電装置製造設備２０の収容部２６の内部に対する空気の導入方法について説明する。なお、ドライルーム１０の内部の圧力、及び収容部２６の内部の圧力は、除湿機４０が稼働する前の状態では同じである前提で説明する。
【００２９】
ドライルーム１０から収容部２６の内部に対する空気の導入方法は、除湿機４０の稼働の仕方によって決まる。具体的には、供給通路５１からドライルーム１０に供給される空気の供給圧力を、ドライルーム１０から送出通路５２を介して除湿機４０に送出される空気の送出圧力よりも大きくなるように除湿機４０を稼働させる。このようにすることで、ドライルーム１０の内部に供給される空気量が、ドライルーム１０の外部に送出される空気量よりも多くなるため、ドライルーム１０の内部の圧力が高くなる。すると、ドライルーム１０の内部の圧力が、収容部２６の内部の圧力よりも大きくなる。よって、ドライルーム１０の内部の除湿された空気が供給部２５を通じて収容部２６の内部に自然と導入される。収容部２６の内部に除湿された空気が供給部２５を介して導入され、ドライルーム１０の内部の圧力と、収容部２６の内部の圧力とが同じになると、供給部２５から収容部２６の内部への空気の導入が止まる。蓄電装置製造設備２０の収容部２６は、供給部２５から供給されたドライルーム１０内部の除湿された空気で満たされている。これにより、電解液Ｏｓに水分が混入し、蓄電装置３０の性能が低下してしまうことを抑制している。なお、ドライルーム１０の内部の圧力は、ドライルーム１０の外部の圧力よりも高くなっている。そのため、ドライルーム１０の内部の空気は、自然と換気口１１からドライルーム１０の外部に送出されるため、ドライルーム１０の換気が自然と実施される。
【００３０】
蓄電装置製造設備２０の収容部２６には、循環経路２１が設けられている。循環経路２１は、両端が収容部２６に接続されており、収容部２６の内部の空気を循環させるための空気の流路となる。循環経路２１上には、ファン２２と、吸着部２３とで構成されるＦＦＵ（ファンフィルタユニット）が設けられている。吸着部２３は、循環経路２１上に設けられるケース２４の内部に収容されている。ファン２２は、蓄電装置製造設備２０の内部の空気を循環させる動力を発生させる機能を有している。吸着部２３は、蓄電装置製造設備２０の内部に存在する可能性のある埃や塵等の異物、及び注液工程時に注液栓で注液孔を塞ぐ前までに揮発する可能性のある電解液Ｏｓを吸着する機能を有している。吸着部２３は、集塵フィルタ２３ａと、ケミカルフィルタ２３ｂとを備えている。集塵フィルタ２３ａは、上記の異物を吸着する。ケミカルフィルタ２３ｂは、活性炭等で構成され、揮発した電解液Ｏｓを吸着する機能がある。
【００３１】
次に、蓄電装置３０を製造するときの環境について説明する。
本実施形態の空気循環設備１では、注液工程が実施されるため、蓄電装置製造設備２０を取り巻く環境に水分がない状態にすること、及び注液工程を実施する作業者の環境衛生上の安全性の確保が肝要である。そのため、ドライルーム１０及び蓄電装置製造設備２０は、以下のような環境に設定されている。
【００３２】
ドライルーム１０の内部は、低露点となっている。具体的には、ドライルーム１０は、ドライルーム１０の内部の露点が−３０℃となるように除湿機４０で十分に除湿されている。蓄電装置製造設備２０は、防爆仕様となっている。そのため、蓄電装置製造設備２０の内部で注液工程が実施される場合、注液工程は、作業者が蓄電装置製造設備２０の外部にいる状態で実施される。
【００３３】
ここで、ドライルーム１０の湿度が低く保たれていることから静電気等が発生しやすい環境になっている。蓄電装置製造設備２０において有機溶剤で構成される電解液Ｏｓを使用しているため、本実施形態の空気循環設備１では、ドライルーム１０の除湿及び蓄電装置製造設備２０における揮発する電解液Ｏｓのバランスを考慮して蓄電装置３０に製造するときの環境が調整されている。
【００３４】
本実施形態の作用について説明する。
本実施形態では、除湿機４０から供給通路５１を介してドライルーム１０に除湿された空気が供給される。ドライルーム１０に供給された除湿された空気は、供給部２５から収容部２６の内部に導入される。また、収容部２６の内部では、ファン２２の動力により収容部２６の内部の空気を循環経路２１の内部に引き込み、循環経路２１の内部に引き込まれた空気は、ケース２４の内部に配置された集塵フィルタ２３ａ及びケミカルフィルタ２３ｂを通過して蓄電装置製造設備２０に戻される。よって、本実施形態では、ＦＦＵ及び循環経路２１により収容部２６の内部の除湿された空気が循環し、且つ蓄電装置製造設備２０の内部を循環する空気は、吸着部２３により常に清浄化される。
【００３５】
本実施形態では以下の効果を得ることができる。
（１）本実施形態では、除湿機４０により除湿された空気が供給部２５から蓄電装置製造設備２０の収容部２６の内部に供給される。蓄電装置製造設備２０の収容部２６の内部では、ファン２２により循環経路２１を除湿された空気が循環している。そのため、除湿機４０により除湿された空気がドライルーム１０の外部に排出され、ドライルーム１０の外部の空気を新たに除湿機４０で除湿する場合と比較して除湿機４０の消費電力を抑制できる。
【００３６】
また、ドライルーム１０の内部で電解液Ｏｓを用いる注液工程を実施しているときに埃や塵等の異物が混入すると蓄電装置３０の性能が低下する。さらに、ドライルーム１０の内部に蓄電装置製造設備２０を設置する場合、蓄電装置製造設備２０を使用して作業する作業者の環境衛生上の安全性を保つ必要がある。
【００３７】
その点、本実施形態の蓄電装置製造設備２０は、循環経路２１上に吸着部２３を備えている。吸着部２３により異物及び電解液Ｏｓを吸着する。そのため、蓄電装置製造設備２０の内部への異物の混入を抑制でき、且つ作業者の環境衛生上の安全性を保持することができる。
【００３８】
さらに、除湿された空気の循環、異物混入の抑制、及び環境衛生上の安全性の観点からドライルーム１０全体に対して循環経路２１、ファン２２、及び吸着部２３を設ける場合も考えられるが、ドライルーム１０全体に対して循環経路２１、ファン２２、及び吸着部２３を設置すると設備投資費用が高くなってしまう。
【００３９】
その点、本実施形態の蓄電装置製造設備２０は、蓄電装置製造設備２０に対して循環経路２１、ファン２２、及び吸着部２３を設けている。そのため、例えば、ドライルーム１０の内部に複数の蓄電装置製造設備２０が配置される場合には、電解液Ｏｓ等の有機溶剤を使用する工程を実施する蓄電装置製造設備２０にのみ循環経路２１、ファン２２、及び吸着部２３を構成すればよい。したがって、設備投資費用を抑えることができる。
【００４０】
（２）例えば、ドライルーム１０の内部に複数の蓄電装置製造設備２０を設置する場合を考える。この場合、全ての蓄電装置製造設備２０に対して除湿機４０を接続させると、除湿機４０の管理に手間がかかってしまう。その点、本実施形態では、ドライルーム１０の外部に除湿機４０を設け、ドライルーム１０自体を除湿することにより除湿機４０の管理の手間を少なくできる。また、除湿機４０がドライルーム１０の外部に設けられているため、ドライルーム１０の内部の蓄電装置製造設備２０の配置の自由度を向上させることができる。
【００４１】
なお、本実施形態は、以下のように変更して実施することができる。本実施形態及び以下の変更例は、技術的に矛盾しない範囲で互いに組み合わせて実施することができる。
〇  空気循環設備１は、ドライルーム１０と、蓄電装置製造設備２０と、除湿機４０とを備えているが、除湿機４０が収容部２６の内部を除湿した空気で満たす構成としてもよい。
【００４２】
図２に示すように、除湿機４０は、ドライルーム１０の内部に設置されている。除湿機４０は、供給通路５１及び送出通路５２を介して蓄電装置製造設備２０の収容部２６に接続されている。ここで、供給通路５１が供給部の一例である。
【００４３】
本変更例では、本実施形態の（１）の効果に加えて、次の効果が得られる。除湿機４０が供給通路５１を介して収容部２６に接続しているため、除湿機４０により直接的に収容部２６の内部を除湿することができる。よって、蓄電装置製造設備２０の収容部２６内部における除湿をより効率的に実施できる。
【００４４】
〇  吸着部２３は、集塵フィルタ２３ａと、ケミカルフィルタ２３ｂとを備えているが、例えば、集塵フィルタ２３ａと、ケミカルフィルタ２３ｂとを一体化して製造されたものを吸着部２３として採用してもよい。
【００４５】
〇  また、集塵フィルタ２３ａと、ケミカルフィルタ２３ｂとを一体化して製造された吸着部２３に対して更にファン２２を一体化させてもよい。
〇  塗工工程は、例えば電極組立体の電極を製造するときに長尺状の金属箔に対して有機溶剤を含むスラリー状の活物質合剤を塗工する第１塗工工程と、金属箔に活物質合剤を塗工した後にスラリー状の活物質合剤を乾燥させる第２塗工工程（いわゆるベーク工程）とで構成されていてもよい。すなわち、蓄電装置製造設備２０では、第２塗工工程までを含めて実施してもよい。
【００４６】
〇  ファン２２及び吸着部２３は、循環経路２１上であればどの位置に配置してもよい。例えば、ファン２２を吸着部２３が収容されているケース２４の内部に配置してもよい。
【００４７】
〇  吸着部２３は、ケース２４に収容されていない状態としてもよい。具体的には、ケース２４を割愛し、吸着部２３を循環経路２１の内部に固定するように構成してもよい。
〇  本実施形態では、ドライルーム１０内には、注液工程を実施する蓄電装置製造設備２０が設置されていたが、上記で紹介した塗工工程及びガス抜き工程等を実施する蓄電装置製造設備２０も含めて複数の蓄電装置製造設備２０をドライルーム１０の内部に設置してもよい。また、注液工程を実施する蓄電装置製造設備２０のみをドライルーム１０の内部に複数設置してもよいし、塗工工程又はガス抜き工程を実施する蓄電装置製造設備２０のみをドライルーム１０の内部に複数設置してもよい。
【符号の説明】
【００４８】
１…空気循環設備、１０…ドライルーム、２０…蓄電装置製造設備、２１…循環経路、２２…ファン、２３…吸着部、２５…供給部、２６…収容部、３０…蓄電装置、４０…除湿機、５１…供給通路、５２…送出通路、Ｏｓ…電解液、Ｓ…空間。
【図１】
2020064791.tif 000003
【図２】
2020064791.tif 000004